(57)【要約】      （修正有）【課題】所望の深さに到達するまではコマセを保持し、所望の深さに到達したときに、釣り人の意図に従って、コマセを放出するロック機構部を有するロック機構付コマセカゴを、最小限の部品点数で提供する。【解決手段】ダブルロック機構付コマセカゴ１は、筒状部１０と網部２０と蓋部３０とロック機構部とを備える。ロック機構部は、棒ばね１４およびフック３４の２つの部品から構成されており、棒ばね１４の一部である先端部１４５が、フック３４を内角側において係止する第１のロック状態と、蓋部３０に上向きの力がかかると、先端部１４５が、フック３４の外角側に移動して、フック３４を外角側において係止する第２のロック状態とを有する。【選択図】図１
0003219514.tif 000002
【実用新案登録請求の範囲】
【請求項１】
投げ釣りに使用するコマセカゴであって、上下方向に貫通する開口を有する筒状部と、  前記開口の上端を覆い、釣り糸との連結治具を取り付ける網部と、前記筒状部の側壁下部に配置された蝶番部を介して前記筒状部に接合され、前記蝶番部を中心に回動して、前記開口の下端を開閉する蓋部と、前記筒状部の側壁外周の前記蝶番部と略対向する位置に固定され、前記筒状部の側壁に沿って上下方向に延伸する弾性鋼線材からなる棒ばねと、前記蓋部の外周に固定され、前記棒ばねと係合するフックと、からなるロック機構部と、を備え、前記ロック機構部は、前記棒ばねの一部である先端部が、前記フックを、内角側において係止する第１のロック状態と、前記蓋部に上向きの力がかかると、前記先端部が、前記フックの外角側に移動して、前記フックを、外角側において係止する第２のロック状態と、を有することを特徴とする、ダブルロック機構付コマセカゴ。
【請求項２】
前記ロック機構部は、前記第１のロック状態にあるとき、前記蓋部に上向きの力がかかると、前記棒ばねの先端部が、前記フックから外れるシングルロック状態と、前記第１のロック状態にあるとき、前記蓋部に上向きの力がかかると、前記棒ばねの先端部が、前記フックの外角側に移動して、前記フックを、外角側において係止する第２のロック状態に移行するダブルロック状態とを、前記棒ばねの弾性変形していない状態に対する調整によって選択できることを特徴とする請求項１に記載するダブルロック機構付コマセカゴ。
【考案の詳細な説明】
【技術分野】
【０００１】
本考案は、投げ釣りに使用し、コマセと呼ばれる撒き餌を収納し、コマセを水中に放出して魚を集める、コマセカゴに関するものである。
【背景技術】
【０００２】
従来の投げ釣り用コマセカゴは、コマセを収納した容器の蓋をロックし、着水時に蓋に加わる力でロックを解除するものが知られている（例えば、特許文献１参照）。従来のコマセカゴは、着水時にロックが解除されるため、コマセカゴが水中を沈降している途中に、波や流れの影響を受けて沈降の速度が一定値より遅くなると、意図していない深さでコマセカゴの蓋が開いて、コマセを放出してしまうという課題があった。
【０００３】
また、従来の投げ釣り用コマセカゴは、コマセを収納する容器の蓋が、着水時に第１のロックが解除され、所定の深さに達したあと、釣り人がコマセを放出したいと思ったときに、釣竿を短い距離だけ急に強く引くこと（しゃくること）により、第２のロックが解除され、コマセが放出されるものが知られている（例えば、特許文献２参照）。しかし、このような従来のコマセカゴは、コマセを入れにくく、また、ロックの仕組みが複雑であり、部品点数も多くなり、コストが上がってしまうという課題があった。さらに、ハリスをコマセカゴの中に入れて投げ釣りする場合には、ハリスが絡んでしまうというような課題もあった。
【先行技術文献】
【特許文献】
【０００４】
【特許文献１】特開２００８−３０１７６２号公報
【特許文献２】実用新案登録第３１９６９８９号公報
【考案の概要】
【考案が解決しようとする課題】
【０００５】
本考案は、水中で所望の深さに到達したあと、釣り人が意図するときにコマセを放出するロック機構部を有するコマセカゴを、最小限の部品点数で実現することを目的とする。
【課題を解決するための手段】
【０００６】
請求項に記載の考案では、上下方向に貫通する開口を有する筒状部と、筒状部の開口の上端を覆い、釣り糸との連結治具を取り付ける網部と、筒状部の側壁下部に配置された蝶番部を介して筒状部に接合され、蝶番部を中心に回動して、筒状部の開口の下端を開閉する蓋部と、筒状部の側壁外周の蝶番部と略対向する位置に固定され、筒状部の側壁に沿って上下方向に延伸する弾性鋼線材からなる棒ばねと、蓋部の外周に固定され、棒ばねと係合するフックと、からなるロック機構部と、を備え、ロック機構部は、棒ばねの一部である先端部が、フックの内角側において、フックを係止する第１のロック状態と、蓋部に上向きの力がかかると、棒ばねの先端部が、フックの外角側に移動して、フックの外角側において、フックを係止する第２のロック状態と、を有することを特徴とするダブルロック機構付コマセカゴを提供する。
【考案の効果】
【０００７】
本考案によれば、コマセをセットしやすく、釣り人が意図するときにコマセを放出でき、棒ばねおよびフックという２つの部品で構成されているのでコストダウンが可能であり、簡単な調整によりダブルロック状態とシングルロック状態とを切り換えることができるコマセカゴを実現できる。
【図面の簡単な説明】
【０００８】
【図１】蝶番部およびロック機構部を左右両端に示す側面図の例である。
【図２】蝶番部を正面に示す側面図の例である。
【図３】棒ばねおよびフックからなるロック機構部を正面に示す側面図の例である。
【図４】着水時および沈降時のダブルロック機構付コマセカゴを示す側面図の例である。
【図５】ダブルロック機構付コマセカゴのロック機構部の一部を示す拡大図である。
【図６】蓋部が開放された状態のダブルロック機構付コマセカゴの側面図の例である。
【考案を実施するための形態】
【０００９】
以下、本考案のダブルロック機構付コマセカゴ１における好適な実施の形態について、図１から図６を参照して詳細に説明する。
（１）実施形態の概要
【００１０】
ダブルロック機構付コマセカゴ１は、筒状部１０と網部２０と蓋部３０とロック機構部とを備える。ロック機構部は、棒ばね１４およびフック３４の２つの部品から構成されており、棒ばね１４の一部である先端部１４５が、フック３４を内角側において係止する第１のロック状態と、蓋部３０に上向きの力がかかると、先端部１４５が、フック３４の外角側に移動して、フック３４を外角側において係止する第２のロック状態とを有することを特徴とする。
（２）実施形態の詳細
【００１１】
本実施形態が適用されるダブルロック機構付コマセカゴ１は、図１、図２および図３の側面図に示すように、Ｚ軸方向をダブルロック機構付コマセカゴ１の上下方向として、上下方向に貫通する開口を有する筒状部１０と、筒状部１０の＋Ｚ側（上方）に配置された網部２０と、筒状部１０の−Ｚ側（下方）に配置された蓋部３０を有する。
【００１２】
図１は、ダブルロック機構付コマセカゴ１を、−Ｙ方向から見た側面図である。図１は、蝶番部１２およびロック機構部を左右両端に示す側面図の例である。図２は、ダブルロック機構付コマセカゴ１を、−Ｘ方向から見た側面図である。図２は、蝶番部１２を正面に示す側面図の例である。図３は、ダブルロック機構付コマセカゴ１を＋Ｘ方向から見た側面図である。図３は、棒ばね１４およびフック３４からなるロック機構部を正面に示す側面図の例である。図１、図２および図３は、同じ部材には同じ符号を付して、それぞれの側面図の対応関係を示す。
【００１３】
投げ釣り用のコマセカゴは、コマセカゴの内部に、コマセと呼ばれる撒き餌が入れられた状態で、数十メートルから百数十メートル程度の距離を飛行し、水面に落下する。コマセカゴは、水面に着水した後は、その自重で水中を沈降し、ウキの浮力と釣り合う所定の深さまで沈んで停止する。従来のコマセカゴは、沈降速度が一定値より遅くなったとき、または、沈降が停止したときに、蓋部３０の自重で蓋部３０が開き、コマセを放出する。
【００１４】
また、コマセカゴは、水中で、コマセカゴから適切な距離（例えば、１メートル）にハリがくるようにハリスを収納する。コマセカゴは、蓋部３０が開くことにより、コマセとハリスとを同時に放出し、ハリスの周囲にコマセを浮遊させ、コマセに誘い寄せられた魚にハリスについた餌を食わせることにより魚を捕獲する。
【００１５】
投げ釣り用のコマセカゴは、より遠くに正確に飛行させるために、空気中で、飛行方向の軸がぶれずにまた軸の回りに回転しない飛行姿勢をとることが望ましい。また、投げ釣り用のコマセカゴは、着水した後には水中でも、安定した沈降姿勢を維持することが望ましい。このため、実施形態に係るダブルロック機構付コマセカゴ１は、図１に示すように、全体として、上下方向の軸であるＺ軸に関して略対称な形状を有する。Ｚ軸方向は、ダブルロック機構付コマセカゴ１が、空気中を飛行する方向または水中を沈降する方向と略平行な方向である。
【００１６】
図１に示すダブルロック機構付コマセカゴ１の本体部を形成する筒状部１０は、Ｚ軸方向に貫通する開口を有する筒状の部材である。筒状部１０は、例えば、Ｚ軸を中心軸とする円筒形の部材である。筒状部１０の形状は、円筒であることに限定されず、Ｚ軸と直交するＸＹ方向の断面が楕円形であってもよく、さらにＸＹ方向の断面の径がＺ軸方向の位置に応じて滑らかに変化するような形状であってもよい。但し、上記のような飛行姿勢および沈降姿勢を実現するために、筒状部１０の形状は、円筒形であることが望ましい。
【００１７】
筒状部１０のＺ軸方向長さは、筒状部１０の内部に入れるコマセの量に応じて適切に設定してよく、例えば５ｃｍである。筒状部１０のＸＹ方向の断面の径は、ダブルロック機構付コマセカゴ１を使用する釣り人の扱いやすさや投げる距離に応じて適切に設定してよく、例えば２ｃｍである。筒状部１０の材料は、水中や海中に繰り返し投入されてもさびにくく、使用中に衝撃を受けても容易に変形せず、かつ、遠投するのに適切な重さを有する材料を選べばよく、例えばステンレス鋼を用いる。
【００１８】
図１に示すダブルロック機構付コマセカゴ１は、筒状部１０の＋Ｚ側に、網部２０を有する。網部２０は、筒状部１０に固定され、筒状部１０を貫通する開口の＋Ｚ側端部を覆う部材である。網部２０は、筒状部１０の内部に入っているコマセが、開口の＋Ｚ側端部から出てしまわないように蓋をするとともに、ダブルロック機構付コマセカゴ１が水中にあるときには、ダブルロック機構付コマセカゴ１の内部の空気を逃がす空気抜きの役目を果す。このため網部２０は、ダブルロック機構付コマセカゴ１の外側と、コマセが入れられている内側とをつなぐ、適切な大きさの穴を有することが必要で、例えば、網目状の構造であることが望ましい。
【００１９】
網部２０は、筒状部１０を貫通する開口の＋Ｚ側端部を覆い、＋Ｚ方向に向かってＸＹ方向の断面の径が狭まってゆく、例えば流線型の形状を有する。図１の例で網部２０は、逆さに伏せられ、多数の空気抜き用の穴が設けられた、籠状の部材である。網部２０のＸＹ方向の断面の径は、いちばん大きいところで、筒状部１０の＋Ｚ側端部の径と等しく、例えば２ｃｍである。網部２０のＺ軸方向の長さは、特に限定されないが、空気中および水中における姿勢の安定性を考慮して、例えば２ｃｍである。網部２０の材料は、ダブルロック機構付コマセカゴ１の全体の重心が網部２０側に寄らないように軽量であって、水中や海中に浸かってもさびにくく、かつ、変形しにくい材料であればよく、例えばステンレスのワイヤを網目に編んだ材料から形成される。
【００２０】
網部２０は、テンビンと呼ばれる連結治具を取り付けるための取付冶具２２を有する。取付冶具２２は、ダブルロック機構付コマセカゴ１が水中に入ったときに、テンビンを介して、水面にある浮きと水中にあるダブルロック機構付コマセカゴ１との距離を決める道糸が接続される。また、取付冶具２２は、テンビンを介して、先端にハリを付けたハリスが接続される。取付冶具２２は、網部２０の＋Ｚ側端部に設置される。
【００２１】
図１に示すダブルロック機構付コマセカゴ１は、筒状部１０の−Ｚ側に、蓋部３０を有する。蓋部３０は、網部２０とは反対側において、筒状部１０を貫通する開口を開閉する蓋である。蓋部３０は、投げ釣り用のコマセカゴが、水中で所望の深さに到達するまでは蓋が閉じていて、筒状部１０の内部に入っているコマセを保持し、所望の深さに到達し、釣り人が釣竿をしゃくると蓋が開いて、筒状部１０の内部に入っているコマセを放出する。このための機構について、後記で、詳しく説明する。
【００２２】
蓋部３０のＸＹ方向の断面の径は、＋Ｚ側端部で最も大きく、−Ｚ方向に向かって狭まってゆく形状を有する。図１の例で蓋部３０は、筒状部１０の−Ｚ側端部にかぶせたヘルメット状の部材として記載しているがこのような形状に限らない。望ましい飛行姿勢および沈降姿勢を実現するために、蓋部３０の形状は、例えば、流線型であることが望ましい。蓋部３０のＸＹ方向の断面の径は、いちばん大きいところで、筒状部１０の−Ｚ側端部の径と等しいか、少し大きく、例えば２ｃｍより少し大きい程度である。蓋部３０のＺ軸方向の長さは、空気中および水中における移動姿勢を考慮して、例えば２ｃｍより少し大きい程度である。
【００２３】
蓋部３０の材料は、水中や海中に浸かってもさびにくく、かつ、変形しにくい、例えばステンレス鋼を用いる。また、ダブルロック機構付コマセカゴ１の全体の重心を蓋部３０側に寄せるために、蓋部３０は、その内側に、比重が大きい、例えば鉛等からなる錘が配置される。これによって、ダブルロック機構付コマセカゴ１は、蓋部３０側が進行方向の前面を向く姿勢で、空中を飛行したり、水中を沈降したりする。
【００２４】
筒状部１０と蓋部３０とは、筒状部１０の側壁の−Ｚ側に配置された蝶番部１２を介して接合されている。蓋部３０は、蝶番部１２を中心に上下方向に回動し、筒状部１０の−Ｚ側端部の開口を開閉する。蓋部３０と筒状部１０とは、筒状部１０に固定された棒ばね１４が、蓋部３０に固定されたフック３４を係止することによって、蓋部３０の開閉をロックするロック機構部を有する。
【００２５】
以降の明細書において、図２および図３を併用しながら、蓋部３０の開閉および、そのロック機構部について説明する。
【００２６】
図２は、蝶番部１２が正面に見えるように、ダブルロック機構付コマセカゴ１を−Ｘ方向から見た側面図である。蝶番部１２は、筒状部１０の側壁下部に蝶番固定部１２１で固定された蝶番支持部１２２を中心に、蓋部３０に連結固定部３３で固定された連結部３２、および連結部３２と一体である蝶番回転部１２３が、回動するように設置されている。但し、蝶番部１２は、図面に記載した形に限定されることなく、連結部３２が筒状部１０に固定されていて、蓋部３０側に固定された蝶番支持部１２２を中心に、蓋部３０が回動するものであってもよい。蝶番部１２は、一般的な蝶番の役割を有し、筒状部１０に対して蓋部３０を回動させるものであってよい。
【００２７】
図２に即して説明すると、蓋部３０は、連結部３２を経由して蓋部３０と一体である蝶番回転部１２３が、蝶番支持部１２２の軸の回りに回転することにより蓋部３０が回動して、筒状部１０を貫通する開口の−Ｚ側端部を開閉する。蓋部３０は、この回転によって、筒状部１０の開口を、ダブルロック機構付コマセカゴ１の外側に開放する。蓋部３０が開いているときには、筒状部１０の開口は−Ｚ側で大きく開放されるので、釣り人は、−Ｚ側開口からコマセカゴ１に、容易にコマセを入れることができる。また、水中でコマセを放出するときも、筒状部１０の開口は−Ｚ側で大きく開放されるので、コマセと一緒に入っているハリスが絡んでしまうこともない。
【００２８】
尚、連結部３２は、蝶番部１２の近傍で、筒状部１０の−Ｚ側端部と蓋部３０の＋Ｚ側端部との間に、所定の大きさの間隙を形成する。この間隙は、筒状部１０と蓋部３０とが、互いに滑らかに回動するために設けられる。またこの間隔は、水中にコマセを放出する前に、コマセと一緒にダブルロック機構付コマセカゴ１に入っているハリスを、筒状部１０と蓋部３０との間に挟んで切断しないようにする役割も果たしている。
【００２９】
蝶番固定部１２１は、例えば半田を用いて、蝶番支持部１２２の脚部分を、筒状部１０の側壁外周面に固定する。連結固定部３３は、例えば半田を用いて、連結部３２の他端を、蓋部３０の外表面に固定する。蝶番固定部１２１や連結固定部３３などの筒状部１０および蓋部３０とその他の部品との固定方法は、半田を用いる方法に限られず、溶接や接着であってもよい。固定部は、魚釣り中に衝撃力を受けても、壊れたり外れたりしないような強度で固定されていればよい。
【００３０】
図３は、筒状部１０と蓋部３０とのあいだのロック機構部が正面に見えるように、ダブルロック機構付コマセカゴ１を、＋Ｘ方向から見た側面図である。筒状部１０と蓋部３０とのロック機構部は、筒状部１０の側壁外周における、蝶番部１２と略対向する位置に配置される。
【００３１】
筒状部１０と蓋部３０とのあいだのロック機構部は、筒状部１０の側壁に沿って上下方向即ちＺ軸方向に延伸する、弾性鋼線材からなる棒ばね１４と、棒ばね１４の一部を構成する先端部１４５と、蓋部３０側にあって先端部１４５と係合する弾性鋼線材からなるフック３４と、から構成される。ここで弾性鋼線材とは、例えば、バネ性を有するステンレス鋼のワイヤである。
【００３２】
筒状部１０から蓋部３０に達するまで延伸する棒ばね１４は、蓋部３０から遠い側の棒ばね１４の上部と、蓋部３０に近い側の棒ばね１４の下部とから構成される。
【００３３】
棒ばね１４の上部の構造を説明するために、図１に戻って説明する。棒ばね１４の上部は、図１に示すように、＋Ｚ側端部が、棒ばね固定部１５によって筒状部１０の側壁外周面に固定されている。棒ばね１４の上部は、筒状部１０の側壁外周面との間に所定の間隔を有し、−Ｚ方向に延伸する。棒ばね１４の上部は、−Ｚ方向に延伸する途中に屈曲部１４１を備える。屈曲部１４１は、棒ばね１４と筒状部１０の側壁外周面との間隔を調整するために存在する。
【００３４】
屈曲部１４１は、図１の例に示すように、棒ばね１４を構成する鋼線を数ｍｍ程度の範囲で、棒ばね１４の一部が筒状部１０の側壁外周面から離れるように折り曲げた部分である。ダブルロック機構付コマセカゴ１を使用する釣り人は、この折り曲げられている部分をペンチ等で挟んで、棒ばね１４の延伸方向をＸＺ面内で変えることによって、棒ばね１４の上部につながる棒ばね１４の下部と、蓋部３０に固定されたフック３４との間隔を調整する。
【００３５】
尚、屈曲部１４１は、必ずしも図１に示すような形に折り曲げられていることを要しない。屈曲部１４１は、棒ばね１４の上部にあって、棒ばね１４の下部と蓋部３０に固定されたフック３４との間隔を調整するのに適した形状であればよい。
【００３６】
図３を用いて棒ばね１４の下部の構造を説明する。図３は、棒ばね１４の下部を構成する鋼線が、ＹＺ面内で、三角形の斜辺１４２および底辺方向に沿って折り曲げられた形状を有していることを示す。棒ばね１４の上部から−Ｚ方向に延びてきた鋼線は、三角形の斜辺１４２であるＹ−Ｚ方向に一旦曲げられたあと、頂点１４３で曲げ戻されて、三角形の底辺である−Ｙ方向に延伸する。棒ばね１４の一部を構成する先端部１４５は、頂点１４３で曲げ戻されたあと、三角形の底辺に沿って−Ｙ方向に延伸している弾性鋼線の部分をいう。
【００３７】
棒ばね１４の下部をこのように折り曲げることによって、ダブルロック機構付コマセカゴ１を使用する釣り人は、頂点１４３を支点にして、先端部１４５をＺ軸回りにひねることによって、先端部１４５の延伸方向をＺ軸に直交するＸＹ面内で変えることができる。釣り人は、これによって、先端部１４５と蓋部３０に固定されたフック３４との位置関係を調整できる。ここで、フック３４は、蓋部３０側に固定された弾性鋼線材からなる部材であり、筒状部１０側に固定された棒ばね１４の一部である先端部１４５と係合する部分である。
【００３８】
再び図１を用いて、フック３４の構造を説明する。フック３４は、図１に示すように、隣り合った２辺の内角が鋭角であるように、鋼線をＸＺ面内で折り曲げた鉤状の部材である。折り曲げた鋼線の一端は、蝶番部１２と略対向する位置の蓋部３０の外周部に、フック固定部３５によって固定されている。フック３４は、フック固定部３５によって蓋部３０に固定された鋼線の第１の辺が、蓋部３０の外表面に略垂直な方向に延びて、鋭角の内角を挟んで、第２の辺が略−Ｘ−Ｚ方向に延伸する。
【００３９】
図１は、棒ばね１４の一部である先端部１４５が、フック３４の内角側に位置する状態を示す。この状態は、先端部１４５が、フック３４の鋭角の内角を有する２辺の間に挟まれており、筒状部１０側に固定された棒ばね１４の先端部１４５が、蓋部３０側に固定されたフック３４に内角側で引っかかっている状態である。先端部１４５とフック３４とがこのように係合し合って、筒状部１０に対して蓋部３０が開かないようになっている状態を、ロック機構部の第１のロック状態と呼ぶ。第１のロック状態では、そのままの状態で蓋部３０を開ける方向に力を加えても、先端部１４５が、フック３４の内角側の辺に引っ掛かかるため、蓋部３０が開かない。
【００４０】
次に、ダブルロック機構付コマセカゴ１を第１のロック状態にする手順、および、第１のロック状態にあるダブルロック機構付コマセカゴ１のロック状態が解除され、コマセが放出されるまでの動作を説明する。
【００４１】
ダブルロック機構付コマセカゴ１を使用する釣り人は、ダブルロック機構付コマセカゴ１を第１のロック状態にするために、以下の手順をとる。釣り人は、ダブルロック機構付コマセカゴ１の蓋部３０を大きく開放して、コマセを詰め込み、ハリスを収納したあと、蓋部３０を閉めて、先端部１４５をフック３４の−Ｚ側に移す。釣り人は、棒ばね１４を筒状部１０の側壁外周面に押し付けながら、フック３４の−Ｘ−Ｚ方向に延伸する第２の辺の先端と蓋部３０の外表面との間の隙間に先端部１４５を通して、先端部１４５をフック３４の内角側まで移動させる。
【００４２】
釣り人は、筒状部１０に押し付けていた棒ばね１４を離す。棒ばね１４は、弾性変形する前の状態に戻ろうとする。これにより、先端部１４５は、フック３４の内角側であって、例えば、第２の辺の内角側に引っかかって第１のロック状態になる。
【００４３】
既に記載したように、ダブルロック機構付コマセカゴ１は、空気中では、この第１のロック状態で、蓋部３０が進行方向の前方を向き、網部２０が後方を向く姿勢で飛行する。ダブルロック機構付コマセカゴ１は、着水するとき、蓋部３０が最初に水面に到達するように落下する。ダブルロック機構付コマセカゴ１は、水中を沈降するとき、蓋部３０が沈降していく方向を向き、網部２０が水面方向を向きながら沈む。
【００４４】
ダブルロック機構付コマセカゴ１の蓋部３０は、着水時には水面から、蓋を閉じる方向の力を受ける。ダブルロック機構付コマセカゴ１の蓋部３０は、水中を沈降時には、沈降方向の前方にある水から、蓋を閉じる方向の水圧を受ける。蓋を閉じる方向の力とは、図１の＋Ｚ方向を向いた力を言う。
【００４５】
図４は、着水時および沈降時のダブルロック機構付コマセカゴ１を示す側面図の例である。ダブルロック機構付コマセカゴ１は、略−Ｚ方向に進行している。このとき、蓋部３０は、前方から受ける＋Ｚ方向を向いた力によって、蝶番部１２の軸回りに回転する。蓋部３０は、蝶番部１２と略対向するロック機構部を有する位置で、蓋部３０の＋Ｚ側端部が、筒状部１０の−Ｚ側端部に接触する位置まで回転する。これによって、棒ばね１４の先端部分を構成する先端部１４５は、フック３４の内角側にある第１のロック状態から外れる。図５の拡大図を用いてさらに説明する。
【００４６】
図５は、ダブルロック機構付コマセカゴ１のロック機構部を示す拡大図である。棒ばね１４は、先端に先端部１４５を有する。フック３４は、内角θを挟んで、第１の辺３４１および第２の辺３４２を有する。第１の位置１４５ａは、第１のロック状態における先端部１４５の位置を示す。第１のロック状態において、先端部１４５は、フック３４の内角側に位置し、棒ばね１４の弾性によって、フック３４の第２の辺３４２を、＋Ｘ方向に押しながら、フック３４を内角側から係止している状態にある。
【００４７】
着水時に水面から加わる＋Ｚ方向（上向き）の力、および沈降時に水中から加わる同じ向きの力によって、蓋部３０が筒状部１０の−Ｚ側端部に接触する位置まで回転すると、フック３４は、蓋部３０と一体になって略＋Ｘ＋Ｚ方向に移動する。このとき先端部１４５は、第２の辺３４２に沿って相対的に−Ｘ−Ｚ方向に移動し、第２の辺３４２の延伸方向の先端と蓋部３０の外表面とのあいだにある隙間を通って、フック３４の内角側から、第２の辺３４２における外角側に移動する。ここでフック３４の第２の辺３４２における外角側とは、第２の辺３４２と第１の辺３４１の延長線とが作る角の側であることを言う。これにより、先端部１４５は、第１のロック状態から外れる。
【００４８】
ダブルロック機構付コマセカゴ１の水中における沈降速度が一定値より遅くなると、蓋部３０は、蓋部３０の自重によって、筒状部１０の−Ｚ側端部から離れる方向に回転する。図５に示す第２の位置１４５ｂは、ダブルロック機構付コマセカゴ１の沈降速度が一定値以下になったとき、先端部１４５とフック３４との相対的な位置関係の例を示す。
【００４９】
第２の位置１４５ｂは、弾性鋼線材からなる棒ばね１４が、弾性変形していない状態まで戻ったときに、先端部１４５がとる位置の例である。棒ばね１４は、筒状部１０の側壁から離れる＋Ｘ方向の弾性復元力を有しているため、第２の位置１４５ｂは、第１の位置１４５ａより、＋Ｘ側にある。
【００５０】
先端部１４５は、第２の位置１４５ｂにおいて、フック３４および、それと一体の蓋部３０を、第２の辺３４２の外角側から押さえて、それ以上蓋部３０が開かないように係止する。このため、ダブルロック機構付コマセカゴ１は、沈降速度が一定値以下になったり、沈降が止まったりしただけでは、蓋部３０がこれ以上開かず、コマセも放出されない。この状態を、第２のロック状態と呼ぶ。ダブルロック機構付コマセカゴ１は、沈降速度が一定値以下になったり、沈降が止まったりしても第２のロック状態にあるため、すぐには蓋部３０が開かず、水中で所望の深さに到達するまで確実にコマセを保持しておくことができる。
【００５１】
ダブルロック機構付コマセカゴ１が水中で所望の深さに到達したら、釣り人は、釣竿をしゃくることによって、第２のロック状態を外す。釣竿に繋がる道糸は網部２０側に取り付けられているため、釣竿をしゃくると、筒状部１０の内部のコマセは、内側から蓋部３０を開ける方向に力を加える。また、網部２０の表面に形成された穴から筒状部１０の内部に流入する水も、内側から蓋部３０を開ける方向に力を加える。さらに、蓋部３０の＋Ｚ側端部の断面の径が、筒状部１０の−Ｚ側端部の径より少し大きくなっており、筒状部１０の−Ｚ側端部と蓋部３０の＋Ｚ側端部との間に間隙を有することから、釣竿をしゃくったときに筒状部１０に沿って流れる水は、蓋部３０の＋Ｚ側の面に、内側から蓋部３０を開ける方向の力を直接加える。
【００５２】
第２のロック状態は、フック３４の第２の辺３４２が、棒ばね１４の先端部１４５によって外角側から押さえられているだけの状態であるため、蓋部３０を開ける方向、即ち−Ｚ方向に一定以上の力が加わると、第２の位置１４５ｂにある先端部１４５は、フック３４の折れ曲がっている＋Ｘ側端部を乗り越えて、第２のロック状態が外れる。
【００５３】
図６は、第２のロック状態が外れた後の水中におけるダブルロック機構付コマセカゴ１の状態を示す。第２のロック状態が外れると、蓋部３０は、自重によって大きく開放されて、内部のコマセが放出される。
【００５４】
フック３４の内角θ（図５参照）は、３０度以上６０度以下である。更に、内角θは、略４５度であることがより望ましい。内角θが３０度以下の場合、着水時および沈降時に、蓋部３０が筒状部１０の−Ｚ側端部に接触する位置まで回転しても、先端部１４５は第２の辺３４２に沿って移動しにくいため、フック３４の内角側から抜けず、ダブルロック機構付コマセカゴ１は、第１のロック状態から外れないからである。また、内角θが６０度以上の場合、水中でダブルロック機構付コマセカゴ１にかかる僅かの衝撃で、第２の位置１４５ｂにある先端部１４５がフック３４の＋Ｘ側端部を越えてしまい、ダブルロック機構付コマセカゴ１が所望の深さに達するまでに第２のロック状態が外れてしまうからである。
【００５５】
以上説明したように本実施形態のダブルロック機構付コマセカゴ１によれば、第１のロック状態および第２のロック状態という２段階のロック状態が実現されるため、水中で所望の深さに到達するまではコマセを保持し、釣り人が意図するときに、鶴竿をしゃくるという動作によって、コマセを放出することが可能である。
【００５６】
ダブルロック機構付コマセカゴ１は、筒状部１０、網部２０、蓋部３０の他に、蝶番部１２、棒ばね１４、およびフック３４から構成されている。ダブルロック機構付コマセカゴ１は、２段階のロック状態を実現しているにも係わらず、筒状部１０と蓋部３０とのロック機構部は、係止する側と係止される側とでそれぞれ１つ合わせて２つの部品、即ち、棒ばね１４およびフック３４、だけで構成されており、最小限の部品点数で実現されるという特徴を有する。このため、ダブルロック機構付コマセカゴ１は、部品点数が少なく、コストダウンが可能である。
（変形例）
【００５７】
次に、実施形態に係るダブルロック機構付コマセカゴ１の変形例について説明する。この変形例は、ダブルロック機構付コマセカゴ１が、釣り人の意向により、１段階のロック状態にしたり、また２段階のロック状態に戻したりすることを選択するものである。
【００５８】
ダブルロック機構付コマセカゴ１の変形例では、第１のロック状態が外れたときの先端部１４５の位置を、例えば、第３の位置１４５ｃに設定する（図５参照）。釣り人は、棒ばね１４の上部の屈曲部１４１（図１参照）、および／または、棒ばね１４の下部の頂点１４３を支点としたひねり（図３参照）の微調整によって、棒ばね１４が弾性変形していないときの先端部１４５の位置を第３の位置１４５ｃに設定する。第１のロック状態が外れた後の先端部１４５の位置は、第３の位置１４５ｃとなる。
【００５９】
先端部１４５が第３の位置１４５ｃにある場合、ダブルロック機構付コマセカゴ１の水中における沈降速度が穏やかになり、蓋部３０の自重が水から受ける上向きの力より大きくなって、蓋部３０が−Ｚ方向に回転するときに、先端部１４５はフック３４を外角側から係止できないため、蓋部３０は開放される。これにより、ダブルロック機構付コマセカゴ１は、筒状部１０の中のコマセを放出し始める。
【００６０】
釣ろうとしている魚によって、このようにコマセを放出させるのが適切である場合には、釣り人は、ダブルロック機構付コマセカゴ１を、このようなシングルロック状態で使用することも可能である。ダブルロック機構付コマセカゴ１は、釣り人の使い方に応じて、棒ばねが弾性変形していない状態に対する微調整によって、シングルロック状態とダブルロック状態とを選択できるという特徴を有する。
【００６１】
以上、実施形態に係るダブルロック機構付コマセカゴ１について説明したが、本考案は説明した実施形態に限定されるものではなく、各請求項に記載した範囲において変形を行うことが可能である。そのような形態も、請求範囲に含まれる。
【符号の説明】
【００６２】
１…ダブルロック機構付コマセカゴ、１０…筒状部、１２…蝶番部、１２１…蝶番固定部、１２２…蝶番支持部、１２３…蝶番回転部、１４…棒ばね、１４１…屈曲部、１４２…斜辺、１４３…頂点、１４５…先端部、１４５ａ…第１の位置、１４５ｂ…第２の位置、１４５ｃ…第３の位置、１５…棒ばね固定部、２０…網部、２２…取付冶具、３０…蓋部、３２…連結部、３３…連結固定部、３４…フック、３４１…第１の辺、３４２…第２の辺、３５…フック固定部
【図１】
0003219514.tif 000003
【図２】
0003219514.tif 000004
【図３】
0003219514.tif 000005
【図４】
0003219514.tif 000006
【図５】
0003219514.tif 000007
【図６】
0003219514.tif 000008